【手続補正書】
【提出日】平成22年7月29日(2010.7.29)
【手続補正１】
【補正対象書類名】特許請求の範囲
【補正対象項目名】全文
【補正方法】変更
【補正の内容】
【特許請求の範囲】
【請求項１】
コンテンツのパケットを送信する送信装置であって、
前記パケットの送信間隔と、前記パケットのサイズと、前記コンテンツのパケットの送信に要する時間とに関する情報を取得する取得手段と、
前記取得された情報に基づいて割り当てるべき伝送路の帯域を決定する決定手段と、
前記コンテンツのパケットを送信するための伝送路の帯域を割り当てる帯域制御装置へ、前記決定手段により決定された帯域を通知する通知手段と
を有することを特徴とする送信装置。
【請求項２】
前記帯域制御装置は前記コンテンツのパケットの宛先であることを特徴とする請求項１に記載の送信装置。
【請求項３】
動画コンテンツのパケットの送信間隔を前記動画コンテンツのフレーム単位で制御する制御手段を有し、
前記決定手段は、前記動画コンテンツの一のフレームのパケットの送信間隔と、当該一のフレームのパケットのサイズと、当該一のフレームのパケットの送信に要する時間に関する情報に基づいて割り当てるべき伝送路の帯域を決定することを特徴とする請求項１又は２に記載の送信装置。
【請求項４】
前記制御手段が、第１のフレームのパケットの送信間隔を第１の送信間隔に制御すると共に、前記第１のフレームに続く第２のフレームのパケットの送信間隔を前記第１の送信間隔よりも長い第２の送信間隔に制御する場合、前記決定手段は、前記第１の送信間隔に関する情報に基づいて前記第１及び第２のフレームのパケットを送信するために割り当てるべき帯域を決定することを特徴とする請求項３に記載の送信装置。
【請求項５】
前記決定手段は、前記動画コンテンツを構成するフレーム内符号化されたイントラフレーム及びフレーム間符号化されたインターフレームのうち、前記イントラフレームの送信間隔に基づいて割り当てるべき帯域を決定することを特徴とする請求項３又は４に記載の送信装置。
【請求項６】
コンテンツのパケットを送信する送信装置と伝送路を介して接続される帯域制御装置であって、
前記送信装置によるパケットの送信間隔と、前記パケットのサイズと、前記コンテンツのパケットの送信に要する時間とに関する情報を取得する取得手段と、
前記取得された情報に基づいて前記送信装置に割り当てるべき伝送路の帯域を決定する決定手段と、
前記決定された帯域を前記送信装置に割り当てる割当手段と
を有することを特徴とする帯域制御装置。
【請求項７】
前記帯域制御装置は前記送信装置から送信されるコンテンツのパケットの宛先であることを特徴とする請求項６に記載の帯域制御装置。
【請求項８】
前記取得手段は、前記パケットの受信状況に関する情報を取得し、
前記決定手段は、前記決定した帯域を前記パケットの受信状況に応じて変更することを特徴とする請求項６又は７に記載の帯域制御装置。
【請求項９】
コンテンツのパケットを送信する送信装置と、伝送路の帯域を前記送信装置に割り当てる帯域制御装置とを少なくとも有するデータ処理システムであって、
前記パケットの送信間隔と、前記パケットのサイズと、前記コンテンツのパケットの送信に要する時間とに関する情報を取得する取得手段と、
前記取得された情報に基づいて前記送信装置に割り当てるべき伝送路の帯域を決定する決定手段と、
前記決定された帯域の割り当てを行う割当手段と
を有することを特徴とするデータ処理システム。
【請求項１０】
前記割当手段は、前記コンテンツのパケットの宛先である受信装置と、前記送信装置との間の伝送路の帯域を割り当てることを特徴とする請求項９に記載のデータ処理システム。
【請求項１１】
コンテンツのパケットを送信する送信装置が行う制御方法であって、
前記パケットの送信間隔と、前記パケットのサイズと、前記コンテンツのパケットの送信に要する時間とに関する情報を取得する取得ステップと、
前記取得された情報に基づいて割り当てるべき伝送路の帯域を決定する決定ステップと、
前記コンテンツのパケットを送信するための伝送路の帯域を割り当てる帯域制御装置へ、前記決定ステップにより決定された帯域を通知する通知ステップと
を有することを特徴とする制御方法。
【請求項１２】
コンテンツのパケットを送信する送信装置と伝送路を介して接続される帯域制御装置が行う制御方法であって、
前記送信装置によるパケットの送信間隔と、前記パケットのサイズと、前記コンテンツのパケットの送信に要する時間とに関する情報を取得する取得ステップと、
前記取得された情報に基づいて前記送信装置に割り当てるべき伝送路の帯域を決定する決定ステップと、
前記決定された帯域を前記送信装置に割り当てる割当ステップと
を有することを特徴とする制御方法。
【請求項１３】
コンテンツのパケットを送信する送信装置を制御するためのプログラムであって、
前記パケットの送信間隔と、前記パケットのサイズと、前記コンテンツのパケットの送信に要する時間とに関する情報を取得する取得手順と、
前記取得された情報に基づいて割り当てるべき伝送路の帯域を決定する決定手順と、
前記コンテンツのパケットを送信するための伝送路の帯域を割り当てる帯域制御装置へ、前記決定手順により決定された帯域を通知する通知手順と
をコンピュータに実行させることを特徴とするプログラム。
【請求項１４】
コンテンツのパケットを送信する送信装置と伝送路を介して接続される帯域制御装置を制御するためのプログラムであって、
前記送信装置によるパケットの送信間隔と、前記パケットのサイズと、前記コンテンツのパケットの送信に要する時間とに関する情報を取得する取得手順と、
前記取得された情報に基づいて前記送信装置に割り当てるべき伝送路の帯域を決定する決定手順と、
前記決定された帯域を前記送信装置に割り当てる割当手順と
をコンピュータに実行させることを特徴とするプログラム。
【手続補正２】
【補正対象書類名】明細書
【補正対象項目名】発明の名称
【補正方法】変更
【補正の内容】
【発明の名称】送信装置、帯域制御装置及びデータ処理システム
【手続補正３】
【補正対象書類名】明細書
【補正対象項目名】０００１
【補正方法】変更
【補正の内容】
【０００１】
本発明は送信装置、帯域制御装置、データ処理システム、制御方法、及びプログラムに関し、特に、最適な伝送路帯域を確保するために用いて好適な技術に関する。
【手続補正４】
【補正対象書類名】明細書
【補正対象項目名】００１０
【補正方法】変更
【補正の内容】
【００１０】
本発明の送信装置は、コンテンツのパケットを送信する送信装置であって、前記パケットの送信間隔と、前記パケットのサイズと、前記コンテンツのパケットの送信に要する時間とに関する情報を取得する取得手段と、前記取得された情報に基づいて割り当てるべき伝送路の帯域を決定する決定手段と、前記コンテンツのパケットを送信するための伝送路の帯域を割り当てる帯域制御装置へ、前記決定手段により決定された帯域を通知する通知手段とを有することを特徴とする。
【手続補正５】
【補正対象書類名】明細書
【補正対象項目名】００１１
【補正方法】変更
【補正の内容】
【００１１】
本発明の帯域制御装置は、コンテンツのパケットを送信する送信装置と伝送路を介して接続される帯域制御装置であって、前記送信装置によるパケットの送信間隔と、前記パケットのサイズと、前記コンテンツのパケットの送信に要する時間とに関する情報を取得する取得手段と、前記取得された情報に基づいて前記送信装置に割り当てるべき伝送路の帯域を決定する決定手段と、前記決定された帯域を前記送信装置に割り当てる割当手段とを有することを特徴とする。
【手続補正６】
【補正対象書類名】明細書
【補正対象項目名】００１２
【補正方法】変更
【補正の内容】
【００１２】
本発明のデータ処理システムは、コンテンツのパケットを送信する送信装置と、伝送路の帯域を前記送信装置に割り当てる帯域制御装置とを少なくとも有するデータ処理システムであって、前記パケットの送信間隔と、前記パケットのサイズと、前記コンテンツのパケットの送信に要する時間とに関する情報を取得する取得手段と、前記取得された情報に基づいて前記送信装置に割り当てるべき伝送路の帯域を決定する決定手段と、前記決定された帯域の割り当てを行う割当手段とを有することを特徴とする。
【手続補正７】
【補正対象書類名】明細書
【補正対象項目名】００１３
【補正方法】変更
【補正の内容】
【００１３】
本発明の制御方法は、コンテンツのパケットを送信する送信装置が行う制御方法であって、前記パケットの送信間隔と、前記パケットのサイズと、前記コンテンツのパケットの送信に要する時間とに関する情報を取得する取得ステップと、前記取得された情報に基づいて割り当てるべき伝送路の帯域を決定する決定ステップと、前記コンテンツのパケットを送信するための伝送路の帯域を割り当てる帯域制御装置へ、前記決定ステップにより決定された帯域を通知する通知ステップとを有することを特徴とする。
また、本発明の制御方法の他の特徴とするところは、コンテンツのパケットを送信する送信装置と伝送路を介して接続される帯域制御装置が行う制御方法であって、前記送信装置によるパケットの送信間隔と、前記パケットのサイズと、前記コンテンツのパケットの送信に要する時間とに関する情報を取得する取得ステップと、前記取得された情報に基づいて前記送信装置に割り当てるべき伝送路の帯域を決定する決定ステップと、前記決定された帯域を前記送信装置に割り当てる割当ステップとを有することを特徴とする。
【手続補正８】
【補正対象書類名】明細書
【補正対象項目名】００１４
【補正方法】変更
【補正の内容】
【００１４】
本発明のプログラムは、コンテンツのパケットを送信する送信装置を制御するためのプログラムであって、前記パケットの送信間隔と、前記パケットのサイズと、前記コンテンツのパケットの送信に要する時間とに関する情報を取得する取得手順と、前記取得された情報に基づいて割り当てるべき伝送路の帯域を決定する決定手順と、前記コンテンツのパケットを送信するための伝送路の帯域を割り当てる帯域制御装置へ、前記決定手順により決定された帯域を通知する通知手順とをコンピュータに実行させることを特徴とする。
また、本発明のプログラムの他の特徴とするところは、コンテンツのパケットを送信する送信装置と伝送路を介して接続される帯域制御装置を制御するためのプログラムであって、前記送信装置によるパケットの送信間隔と、前記パケットのサイズと、前記コンテンツのパケットの送信に要する時間とに関する情報を取得する取得手順と、前記取得された情報に基づいて前記送信装置に割り当てるべき伝送路の帯域を決定する決定手順と、前記決定された帯域を前記送信装置に割り当てる割当手順とをコンピュータに実行させることを特徴とする。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】